(57)【要約】      （修正有）【課題】メーカーが異なる読影レポート作成支援システムを利用して読影レポートを作成する場合に、作業効率の低下を抑える。【解決手段】操作連携端末１０は、入力補助手段、及び送信手段を備える。入力補助手段は、通信端末７０に表示される第１形式の作成画面に関する情報に基づき、第２形式の作成画面への入力を受け付ける。送信手段は、前記第２形式の作成画面へ入力された内容に関する入力情報を送信する。【選択図】図５
2020034977.tif 000002
【特許請求の範囲】
【請求項１】
第１形式の作成画面に関する情報に基づき、前記第１形式と異なる第２形式の作成画面を表示し、前記第２形式の作成画面への入力を受け付ける入力補助手段と、
前記第２形式の作成画面へ入力された内容に関する入力情報を送信する送信手段と
を具備する操作連携端末。
【請求項２】
前記入力補助手段は、前記第２形式の作成画面に入力された内容についての情報を、前記第１形式に対応付け、
前記送信手段は、前記第１形式に対応付けられた情報を送信する請求項１記載の操作連携端末。
【請求項３】
前記第１形式の作成画面に関する、前記第１形式に対応している情報を受信する受信手段と、
前記第１形式に対応している情報を、前記第２形式に対応付ける情報解析手段と
をさらに具備し、
前記入力補助手段は、前記第２形式に対応している情報に基づいて前記第２形式の作成画面を表示する請求項１又は２記載の操作連携端末。
【請求項４】
前記第１形式の作成画面についての画素情報を受信する受信手段と、
前記受信した画素情報を解析し、前記第２形式に対応している情報を取得する画面解析手段と
をさらに具備し、
前記入力補助手段は、前記第２形式に対応している情報に基づいて前記第２形式の作成画面を表示する請求項１又は２記載の操作連携端末。
【請求項５】
前記第１形式の作成画面を撮影し、前記第１形式の作成画面についての画素情報を発生する撮像手段と、
前記発生された画素情報を解析し、前記第２形式に対応している情報を取得する画面解析手段と
をさらに具備し、
前記入力補助手段は、前記第２形式に対応している情報に基づいて前記第２形式の作成画面を表示する請求項１又は２記載の操作連携端末。
【請求項６】
前記第１形式の作成画面に関する情報には、複数のオーダ情報が含まれており、
ユーザに依頼されたオーダ情報を含むユーザ情報を記憶するメモリと、
前記複数のオーダ情報に、前記ユーザ情報に含まれていない情報が存在する場合、前記ユーザ情報を更新する管理手段と
をさらに具備する請求項１乃至５のいずれかに記載の操作連携端末。
【請求項７】
読影レポートについての第１形式の作成画面を表示する作成手段と、
前記第１形式の作成画面についての画素情報を取得する画面取得手段と、
前記取得した画素情報を解析し、前記第１形式の作成画面に関する情報を取得する画面解析手段と、
前記第１形式の作成画面に関する情報に基づき、前記第１形式と異なる第２形式の作成画面を表示し、前記第２形式の作成画面への入力を受け付ける入力補助手段と、
前記第２形式の作成画面へ入力された内容を、前記第１形式の作成画面に反映させる反映手段と
を具備する読影レポート作成連携システム。
【請求項８】
第１形式の作成画面に関する情報には、複数のオーダ情報が含まれており、
ユーザに依頼されたオーダ情報を含むユーザ情報を記憶するメモリと、
前記複数のオーダ情報に、前記ユーザ情報に含まれていない情報が存在する場合、前記ユーザ情報を更新する管理手段と
をさらに具備する請求項７記載の読影レポート作成連携システム。
【請求項９】
通信端末と操作連携端末とを備え、
前記通信端末は、
前記作成手段、前記画面取得手段、前記画面解析手段、及び前記反映手段を有し、
前記操作連携端末は、
前記入力補助手段を有する、請求項７記載の読影レポート作成連携システム。
【請求項１０】
通信端末と操作連携端末とを備え、
前記通信端末は、
前記作成手段、前記画面取得手段、及び前記反映手段を有し、
前記操作連携端末は、
前記画面解析手段、及び前記入力補助手段を有する、請求項７記載の読影レポート作成連携システム。
【請求項１１】
通信端末と操作連携端末とを備え、
前記通信端末は、
前記作成手段、及び前記反映手段を有し、
前記操作連携端末は、
前記画面取得手段、前記画面解析手段、及び前記入力補助手段を有する、請求項７記載の読影レポート作成連携システム。
【請求項１２】
第１形式の作成画面に関する情報に基づき、前記第１形式と異なる第２形式の作成画面を表示する処理と、
前記第２形式の作成画面への入力を受け付ける処理と、
前記第２形式の作成画面へ入力された内容に関する入力情報を送信する処理と
をプロセッサに実行させる操作連携プログラム。
【請求項１３】
読影レポートについての第１形式の作成画面についての画素情報を取得する処理と、
前記取得した画素情報を解析し、前記第１形式の作成画面に関する情報を取得する処理と、
前記第１形式の作成画面に関する情報に基づき、前記第１形式と異なる第２形式の作成画面を表示する処理と、
前記第２形式の作成画面への入力を受け付ける処理と、
前記第２形式の作成画面へ入力された内容を、前記第１形式の作成画面に反映させる処理と
をプロセッサに実行させる読影レポート作成連携プログラム。
【発明の詳細な説明】
【技術分野】
【０００１】
本発明の実施形態は、操作連携端末、読影レポート作成連携システム、読影レポート作成連携プログラム、及び操作連携プログラムに関する。
【背景技術】
【０００２】
医用画像診断装置、医用画像保管装置、読影レポート作成支援システム、及び電子カルテシステム等がネットワーク接続された医用画像診断システムがある。ユーザは、クライアント端末を操作し、医用画像診断システムから提供される、画像表示アプリケーション、レポート作成アプリケーション、及び電子カルテ作成アプリケーション等の医用アプリケーションを利用して診断業務を行っている。
【０００３】
読影レポート作成支援システムでは、医用画像診断システムを納品したメーカー毎に異なったＧＵＩ（Graphical User Interface）が実装されている。ＧＵＩが異なると、例えば、表示される情報のレイアウト、表示される情報の名称、及び使用可能な定型文等の入力補助情報が異なる。そのため、納品メーカーが異なる別の施設において読影レポート作成支援システムを使用して読影レポートを作成する場合、操作性が異なることとなり、ユーザによるレポートの入力作業の効率が低下することになる。
【先行技術文献】
【特許文献】
【０００４】
【特許文献１】特開２００５−３０１７２９号公報
【発明の概要】
【発明が解決しようとする課題】
【０００５】
発明が解決しようとする課題は、メーカーが異なる読影レポート作成支援システムを利用して読影レポートを作成する場合に、作業効率の低下を抑えることにある。
【課題を解決するための手段】
【０００６】
実施形態によれば、操作連携端末は、入力補助手段、及び送信手段を備える。入力補助手段は、第１形式の作成画面に関する情報に基づき、前記第１形式と異なる第２形式の作成画面を表示し、前記第２形式の作成画面への入力を受け付ける。送信手段は、前記第２形式の作成画面へ入力された内容に関する入力情報を送信する。
【図面の簡単な説明】
【０００７】
【図１】図１は、第１の実施形態に係る読影レポート作成連携システムが使用される病院内のシステムの機能構成を示すブロック図である。
【図２】図２は、図１に示される通信端末の機能構成を示すブロック図である。
【図３】図３は、図１に示される操作連携端末の機能構成を示すブロック図である。
【図４】図４は、図１に示される読影レポート作成連携システムの使用例を表す図である。
【図５】図５は、図３に示される操作連携端末が入力補助情報を更新する際の読影レポート作成連携システムの処理を説明する図である。
【図６】図６は、図４に示される通信端末のディスプレイに表示される読影オーダリストを表す図である。
【図７】図７は、図３に示される操作連携端末が、通信端末と連携して読影レポートを作成する際の処理を説明する図である。
【図８】図８は、図４に示される通信端末のディスプレイに表示される作成画面を表す図である。
【図９】図９は、図８に示される作成画面に基づいて操作連携端末で表示される作成画面を表す図である。
【図１０】図１０は、図８に示される作成画面に基づいて操作連携端末で表示される作成画面のその他の例を表す図である。
【図１１】図１１は、図８に示される作成画面に基づいて操作連携端末で表示される作成画面のその他の例を表す図である。
【図１２】図１２は、操作連携端末へ入力された情報が反映された際の通信端末の表示を表す図である。
【図１３】図１３は、図１に示される操作連携端末の機能構成のその他の例を表すブロック図である。
【図１４】図１４は、第２の実施形態に係る読影レポート作成連携システムの機能構成を示すブロック図である。
【図１５】図１５は、第２の実施形態に係る読影レポート作成連携システムの使用例を表す図である。
【発明を実施するための形態】
【０００８】
以下、実施の形態について、図面を参照して説明する。
【０００９】
（第１の実施形態）  
図１は、第１の実施形態に係る読影レポート作成連携システム１が使用される病院内のシステムの機能構成の例を示すブロック図である。図１に示されるシステムは、読影レポート作成連携システム１、病院情報システム（ＨＩＳ：Hospital Information System）２０、放射線部門情報システム（ＲＩＳ：Radiology Information System）３０、医用画像管理システム（ＰＡＣＳ：Picture Archiving and Communication System）４０、読影レポート作成支援システム５０、及び医用画像診断装置６０を具備する。読影レポート作成連携システム１、病院情報システム２０、放射線部門情報システム３０、医用画像管理システム４０、読影レポート作成支援システム５０、及び医用画像診断装置６０は、ＬＡＮ（Local Area Network）等の病院内ネットワークを介してデータ通信可能に接続されている。なお、病院内ネットワークへの接続は、有線接続、及び無線接続を問わない。また、セキュリティが確保されるのであれば、接続される回線は病院内ネットワークに限定されない。例えば、ＶＰＮ（Virtual Private Network）等を介し、インターネット等、公衆の通信回線に接続するようにしても構わない。
【００１０】
読影レポート作成連携システム１は、操作連携端末１０、及び通信端末７０を有する。通信端末７０は、例えば、読影医等の医療スタッフがＬＡＮに接続されているシステム及び装置等へアクセスするための端末、例えば、ビューワである。なお、図１では、通信端末７０は、病院情報システム２０、放射線部門情報システム３０、医用画像管理システム４０、及び読影レポート作成支援システム５０のいずれにも属していない場合を示しているが、これに限定されない。通信端末７０は、読影レポートを作成するユーザが使用可能であれば、病院情報システム２０、放射線部門情報システム３０、医用画像管理システム４０、及び読影レポート作成支援システム５０のいずれに属していても構わない。
【００１１】
操作連携端末１０は、通信端末７０で表示される読影レポートの作成画面へ、通信端末７０と連携して情報を入力するための端末である。操作連携端末１０は、運搬可能な通信端末であり、例えば、ノートＰＣ、及びタブレットＰＣ等により実現される。
【００１２】
病院情報システム２０は、例えば、診療情報、患者情報、及びオーダ情報等の院内情報を記憶し、記憶している院内情報を管理するシステムである。診療情報は、例えば、所見情報、病名情報、バイタル情報、検査段階情報、及び治療内容の情報等、電子カルテに係る情報を含む。患者情報は、例えば、患者ＩＤ、患者氏名、性別、及び年齢等を含む。オーダ情報は、例えば、診療医等が放射線検査、検体検査、生理検査、処方箋、投薬、及び読影等を依頼する情報である。オーダ情報が読影を依頼する読影オーダ情報である場合、読影オーダ情報は、例えば、検査実施日、検査部位、医用画像診断装置の種別、及び依頼医師等を含む。
【００１３】
病院情報システム２０は、例えば、サーバ装置２１、及び通信端末２２を有する。サーバ装置２１と、通信端末２２とは、病院内ネットワークを介してデータ通信可能に接続されている。サーバ装置２１は、病院情報システム２０において、診療情報、患者情報、及びオーダ情報等を記憶し、記憶している診療情報、患者情報、及びオーダ情報等を管理する院内情報管理サーバである。
【００１４】
なお、図１では、病院情報システム２０に含まれるサーバがサーバ装置２１のみである場合を例に示しているが、これに限定されない。サーバ装置２１は、必要に応じて複数設けられていても構わない。例えば、サーバ装置２１は、管理する情報毎に設けられても構わない。具体的には、例えば、病院情報システム２０は、診療情報及び患者情報等を管理する電子カルテシステム、並びに、診療部門に対してオーダ情報を発行するオーダエントリシステムを有しており、それぞれのシステムにサーバ装置が設けられていても構わない。
【００１５】
通信端末２２は、例えば、診療医等の医療スタッフがサーバ装置２１への指示を入力するための端末である。具体的には、例えば、通信端末２２は、読影レポート作成支援システム５０へ読影オーダを発行するようにサーバ装置２１に対して指示信号を出力する。サーバ装置２１は、通信端末２２から送信される指示信号を受信すると、読影オーダ情報、及び患者情報を読影レポート作成支援システム５０へ送信する。読影オーダ情報、及び患者情報は、予め設定されている規格、例えば、ＨＬ７に則って読影レポート作成支援システム５０へ送信される。
【００１６】
放射線部門情報システム３０は、診療部門の一つである放射線部門において、検査予約等の情報を管理するシステムである。放射線部門情報システム３０は、例えば、サーバ装置３１、及び通信端末３２を有する。サーバ装置３１、及び通信端末３２は、病院内ネットワークを介してデータ通信可能に接続されている。
【００１７】
サーバ装置３１は、放射線部門内における検査予約等の情報を管理する部門情報管理サーバである。例えば、サーバ装置３１は、病院情報システム２０から送信される検査オーダ情報、及び患者情報を受信すると、放射線部門内での検査オーダ情報を設定する。サーバ装置３１は、設定した検査オーダ情報、及び患者情報を医用画像診断装置６０へ送信する。
【００１８】
なお、図１では、放射線部門情報システム３０に含まれるサーバがサーバ装置３１のみである場合を例に示しているが、これに限定されない。サーバ装置３１は、必要に応じて複数設けられていても構わない。
【００１９】
通信端末３２は、例えば、放射線科医等の医療スタッフが、放射線部門情報システム３０のサーバ装置３１への指示を入力するための端末である。具体的には、例えば、通信端末３２は、放射線科医により操作され、病院情報システム２０から送信される検査オーダ情報、及び患者情報に基づき、放射線部門内における検査オーダ情報をサーバ装置３１へ入力する。
【００２０】
医用画像診断装置６０は、被検体を撮影することにより医用画像データを発生する装置である。医用画像診断装置６０は、例えば、Ｘ線診断装置、Ｘ線ＣＴ装置、ＭＲＩ装置、超音波診断装置、ＳＰＥＣＴ（Single Photon Emission Computed Tomography）装置、ＰＥＴ（Positron Emission computed Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、ＰＥＴ装置とＭＲＩ装置とが一体化されたＰＥＴ−ＭＲＩ装置、又はこれらの装置群等である。
【００２１】
医用画像診断装置６０は、放射線部門情報システム３０で管理される検査オーダ情報、及び患者情報に基づいて患者を撮影し、医用画像データを生成する。医用画像診断装置６０は、生成した医用画像データを、ＤＩＣＯＭ（Digital Imaging and Communication Medicine）規格に則った画像ファイルに変換する。画像ファイルは、医用画像データと、医用画像データに付加される付帯情報を含む。付帯情報は、医用画像データを管理するための情報であり、例えば、検査ＵＩＤ、シリーズＵＩＤ、及び患者ＩＤ等が含まれる。検査ＵＩＤは、検査を一意に特定可能な識別子である。シリーズＵＩＤは、例えば、撮影部位毎、又は撮影条件毎に取得される、一連の画像群を一意に特定可能な識別子である。
【００２２】
医用画像管理システム４０は、医用画像データを記憶し、記憶している医用画像データを管理するシステムである。医用画像管理システム４０は、例えば、サーバ装置４１を有する。サーバ装置４１は、医用画像診断装置６０により作成された、例えば、ＤＩＣＯＭ規格に則って変換された画像ファイルを記憶し、記憶している画像ファイルを管理する。例えば、サーバ装置３１は、読影医からの要求に応じ、記憶している画像ファイルのうち、要求された画像ファイルを読影医へ送信する。
【００２３】
なお、図１では、医用画像管理システム４０に含まれるサーバがサーバ装置４１のみである場合を例に示しているが、これに限定されない。サーバ装置４１は、必要に応じて複数設けられていても構わない。
【００２４】
読影レポート作成支援システム５０は、読影医による読影レポートの作成を支援するシステムである。読影レポート作成支援システム５０は、例えば、サーバ装置５１を有する。
【００２５】
サーバ装置５１は、読影医による読影レポートの作成を支援する。具体的には、例えば、サーバ装置５１は、読影オーダに対する未読影、確定、及び確認中等を管理する管理リストを記憶する。サーバ装置５１は、例えば、病院情報システム２０から送信される読影オーダ情報、及び患者情報を受信すると、管理リストに未読影の読影オーダを１つ加える。また、サーバ装置５１は、例えば、未読影の読影オーダについて読影レポートが確定されると、管理リストにおける未読影の読影オーダの読影状況を確定に変更する。また、サーバ装置５１は、例えば、確認中の読影オーダについて読影レポートが確定されると、管理リストにおける確認中の読影オーダの読影状況を確定に変更する。サーバ装置５１は、ユーザからの要求に応じ、読影レポートの作成画面をユーザに表示し、作成画面に対するユーザからの入力を受け付ける。
【００２６】
なお、図１では、読影レポート作成支援システム５０に含まれるサーバがサーバ装置５１のみである場合を例に示しているが、これに限定されない。サーバ装置５１は、必要に応じて複数設けられていても構わない。また、図１では、医用画像管理システム４０と、読影レポート作成支援システム５０とが別々のシステムとして構築される場合を例に示しているが、これに限定されない。医用画像管理システム４０と、読影レポート作成支援システム５０とは、例えば、同一のシステムで構築されていても構わない。
【００２７】
図２は、図１に示される通信端末７０の機能構成の例を示すブロック図である。図２に示される通信端末７０は、処理回路７１、メモリ７２、入力インタフェース７３、ディスプレイ７４、及び通信インタフェース７５を有する。処理回路７１、メモリ７２、入力インタフェース７３、ディスプレイ７４、及び通信インタフェース７５は、例えば、バスを介して互いに通信可能に接続されている。
【００２８】
処理回路７１は、通信端末７０の中枢として機能するプロセッサである。処理回路７１は、メモリ７２等に記憶されている、例えば、画像表示プログラム、読影レポート作成プログラム、及び読影レポート作成連携プログラムを実行することにより、当該プログラムに対応する機能を実現する。
【００２９】
メモリ７２は、例えば、種々の情報を記憶するＲＯＭ（Read Only Memory）、ＲＡＭ（Random Access Memory）、ＨＤＤ（Hard Disk Drive）、ＳＳＤ（Solid State Drive）、及び集積回路記憶装置等の記憶装置である。また、メモリ７２は、ＣＤ−ＲＯＭドライブ、ＤＶＤドライブ、及びフラッシュメモリ等の可搬性記憶媒体との間で種々の情報を読み書きする駆動装置等であってもよい。なお、メモリ７２は、必ずしも単一の記憶装置により実現される必要は無い。例えば、メモリ７２は、複数の記憶装置により実現されても構わない。また、メモリ７２は、通信端末７０にネットワークを介して接続された他のコンピュータ内にあってもよい。
【００３０】
メモリ７２は、本実施形態に係る画像表示プログラム、読影レポート作成プログラム、及び読影レポート作成連携プログラム等を記憶している。これらのプログラムは、例えば、メモリ７２に予め記憶されていてもよい。また、例えば、非一過性の記憶媒体に記憶されて配布され、非一過性の記憶媒体から読み出されてメモリ７２にインストールされてもよい。また、画像表示プログラム、及び読影レポート作成プログラムは、例えば、医用画像管理システム４０、及び読影レポート作成支援システム５０からダウンロードされてメモリ７２にインストールされてもよい。
【００３１】
メモリ７２は、対応テーブル７２１を記憶している。対応テーブル７２１は、例えば、読影レポート作成支援システム５０で設定されている読影レポートの第１形式と、異なる読影レポート作成支援システムで設定される読影レポートの第２形式とを対応付けている。具体的には、例えば、第１形式で規定されているオブジェクトと、このオブジェクトと対応する第２形式のオブジェクトとが対応付けられている。本実施形態において、読影レポートの形式は、例えば、読影レポートで入力される項目の種類、及び項目の配置位置等を規定している。対応テーブル７２１は、例えば、メモリ７２に予め記憶されていてもよい。また、例えば、非一過性の記憶媒体に記憶されて配布され、非一過性の記憶媒体から読み出されてメモリ７２にインストールされてもよい。
【００３２】
入力インタフェース７３は、ユーザから各種の入力操作を受け付け、受け付けた入力操作を電気信号に変換して処理回路７１へ出力する。入力インタフェース７３は、例えば、マウス、キーボード、トラックボール、スイッチ、ボタン、ジョイスティック、タッチパッド、及び操作面へ触れることで指示が入力されるタッチパネル等の入力機器に接続されている。また、入力インタフェース７３に接続される入力機器は、ネットワーク等を介して接続された他のコンピュータに設けられた入力機器でもよい。
【００３３】
ディスプレイ７４は、処理回路７１からの指示に従って種々の情報を表示する。また、ディスプレイ７４は、ユーザが読影レポート作成支援システム５０を利用して読影レポートの作成画面へ必要事項を入力するためのＧＵＩ（Graphical User Interface）を表示する。ディスプレイ７４は、例えば、ＣＲＴ（Cathode Ray Tube）ディスプレイ、液晶ディスプレイ、有機ＥＬディスプレイ、ＬＥＤディスプレイ、及びプラズマディスプレイ等、任意のディスプレイが適宜利用可能である。
【００３４】
通信インタフェース７５は、操作連携端末１０、病院情報システム２０、放射線部門情報システム３０、医用画像管理システム４０、及び読影レポート作成支援システム５０との間でデータ通信を行う。通信インタフェース７５は、例えば、予め設定されている既知の規格に準拠してデータ通信を行う。操作連携端末１０との間では、例えば、Ｗｉ−Ｆｉ（登録商標）通信が実施される。病院情報システム２０との間では、例えば、ＨＬ７に準拠した通信が実施される。また、医用画像管理システム４０との間では、例えば、ＤＩＣＯＭに準拠した通信が実施される。
【００３５】
図２に示される処理回路７１は、例えば、メモリ７２に記憶されている画像表示プログラム、読影レポート作成プログラム、及び読影レポート作成連携プログラムを実行することで、当該プログラムに対応する機能を実現する。例えば、処理回路７１は、画像表示プログラム、読影レポート作成プログラム、及び読影レポート作成連携プログラムを実行することで、読影レポート作成機能７１１、画面取得機能７１２、画面解析機能７１３、反映機能７１４、受信機能７１５、及び送信機能７１６を有する。なお、本実施形態では、単一のプロセッサによって読影レポート作成機能７１１、画面取得機能７１２、画面解析機能７１３、反映機能７１４、受信機能７１５、及び送信機能７１６が実現される場合を説明するが、これに限定されない。例えば、複数の独立したプロセッサを組み合わせて処理回路を構成し、各プロセッサがプログラムを実行することにより読影レポート作成機能７１１、画面取得機能７１２、画面解析機能７１３、反映機能７１４、受信機能７１５、及び送信機能７１６を実現しても構わない。
【００３６】
読影レポート作成機能７１１は、読影レポート作成支援システム５０を利用して読影レポートを作成する機能であり、作成手段の一例である。具体的には、例えば、読影レポート作成機能７１１において処理回路７１は、読影レポート作成支援システム５０で設定されている読影レポートの第１形式に基づく作成画面を、ディスプレイ７４を介してユーザへ表示する。処理回路７１は、作成画面へ入力される情報を読影レポート作成支援システム５０へ出力することで読影レポートを作成する。
【００３７】
画面取得機能７１２は、ディスプレイ７４で表示されている画面に関する情報を取得する機能である。具体的には、例えば、画面取得機能７１２において処理回路７１は、ユーザの指示に基づいて作成画面が切り替わると、切り替わった後の作成画面についての画素情報を取得する。
【００３８】
画面解析機能７１３は、取得された画面に関する情報を解析する機能である。具体的には、例えば、画面解析機能７１３において処理回路７１は、取得された画面に関する情報、例えば、画素情報を解析し、ディスプレイ７４に表示されている情報を取得する。処理回路７１は、メモリ７２に記憶されている対応テーブル７２１を参照し、取得した情報を、異なる読影レポート作成支援システムで設定される読影レポートの第２形式に対応させる。例えば、処理回路７１は、対応テーブル７２１を参照し、取得した情報の第２形式における表示位置についての情報を取得する。
【００３９】
送信機能７１６は、ディスプレイ７４で表示されている情報を操作連携端末１０へ送信する機能である。具体的には、例えば、送信機能７１６において処理回路７１は、画面解析機能７１３で第２形式に対応付けられた情報を操作連携端末１０へ送信する。
【００４０】
受信機能７１５は、操作連携端末１０から送信される読影レポートに対する入力情報を受信する機能である。具体的には、例えば、受信機能７１５において処理回路７１は、操作連携端末１０で入力された第２形式に対応した情報を受信する。
【００４１】
反映機能７１４は、操作連携端末１０からの入力を、第１形式に基づく作成画面に反映させる機能である。具体的には、例えば、反映機能７１４において処理回路７１は、操作連携端末１０から送信された第２形式に対応した情報を、対応テーブル７２１を参照し、第１形式に対応させる。例えば、処理回路７１は、対応テーブル７２１を参照し、取得した情報の第１形式における入力位置を決定する。処理回路７１は、第１形式に対応させた情報を作成画面における所定の位置に表示する。
【００４２】
図３は、図１に示される操作連携端末１０の機能構成の例を示すブロック図である。図３に示される操作連携端末１０は、処理回路１１、メモリ１２、入力インタフェース１３、ディスプレイ１４、及び通信インタフェース１５を有する。処理回路１１、メモリ１２、入力インタフェース１３、ディスプレイ１４、及び通信インタフェース１５は、例えば、バスを介して互いに通信可能に接続されている。
【００４３】
処理回路１１は、操作連携端末１０の中枢として機能するプロセッサである。処理回路１１は、メモリ１２等に記憶されている読影レポート作成連携プログラム、及び読影レポート作成プログラムを実行することにより、当該プログラムに対応する機能を実現する。なお、本実施形態において、読影レポート作成連携プログラムのうち操作連携端末１０に記憶されているプログラムを操作連携プログラムと称する。
【００４４】
メモリ１２は、種々の情報を記憶するＲＯＭ、ＲＡＭ、ＨＤＤ、ＳＳＤ、及び集積回路記憶装置等の記憶装置である。また、メモリ１２は、ＣＤ−ＲＯＭドライブ、ＤＶＤドライブ、及びフラッシュメモリ等の可搬性記憶媒体との間で種々の情報を読み書きする駆動装置等であってもよい。なお、メモリ１２は、必ずしも単一の記憶装置により実現される必要は無い。例えば、メモリ１２は、複数の記憶装置により実現されても構わない。
【００４５】
メモリ１２は、本実施形態に係る読影レポート作成連携プログラム、及び読影レポート作成プログラム等を記憶している。これらのプログラムは、例えば、メモリ１２に予め記憶されていてもよい。また、例えば、非一過性の記憶媒体に記憶されて配布され、非一過性の記憶媒体から読み出されてメモリ１２にインストールされてもよい。また、例えば、読影レポート作成支援システム５０と異なる読影レポート作成支援システムからダウンロードされてメモリ１２にインストールされてもよい。
【００４６】
メモリ１２は、入力補助情報１２１、及びユーザ情報１２２を記憶している。本実施形態において、入力補助情報１２１は、読影レポートを作成する際の入力を補助するための情報であり、例えば、第２形式に基づく読影レポートの作成画面に関する情報、作成画面へ必要事項を入力するためのＧＵＩに関する情報、及び定型文に関する情報等が含まれる。定型文に関する情報は、第２形式に基づく作成画面に沿って読影レポートを作成する際に、ユーザが普段から使用している定型文を含んでいる。本実施形態において、ユーザ情報１２２は、ユーザに関する情報であり、例えば、自身に依頼されている読影オーダに関する情報等が含まれる。入力補助情報１２１、及びユーザ情報１２２は、処理回路１１からの制御に従って更新される。
【００４７】
入力インタフェース１３は、ユーザから各種の入力操作を受け付け、受け付けた入力操作を電気信号に変換して処理回路１１へ出力する。入力インタフェース１３は、例えば、マウス、キーボード、トラックボール、スイッチ、ボタン、ジョイスティック、タッチパッド、及び操作面へ触れることで指示が入力されるタッチパネル等の入力機器に接続されている。また、入力インタフェース１３に接続される入力機器は、ネットワーク等を介して接続された他のコンピュータに設けられた入力機器でもよい。
【００４８】
ディスプレイ１４は、処理回路１１からの指示に従って種々の情報を表示する。また、ディスプレイ１４は、メモリ１２に記憶されている入力補助情報１２１を読み出し、読み出した入力補助情報１２１に基づくＧＵＩを表示する。ディスプレイ７４は、例えば、ＣＲＴディスプレイ、液晶ディスプレイ、有機ＥＬディスプレイ、ＬＥＤディスプレイ、及びプラズマディスプレイ等、任意のディスプレイが適宜利用可能である。
【００４９】
通信インタフェース１５は、通信端末７０との間でデータ通信を行う。通信インタフェース１５は、例えば、予め設定されている既知の規格に準拠してデータ通信を行う。通信端末７０との間では、例えば、Ｗｉ−Ｆｉ（登録商標）通信が実施される。
【００５０】
図３に示される処理回路１１は、例えば、メモリ１２に記憶されている操作連携プログラム、及び読影レポート作成プログラムを実行することで、当該プログラムに対応する機能を実現する。例えば、処理回路１１は、操作連携プログラムを実行することで、情報解析機能１１１、読影レポート入力補助機能１１２、入力補助情報管理機能１１３、ユーザ情報管理機能１１４、受信機能１１５、及び送信機能１１６を有する。なお、本実施形態では、単一のプロセッサによって情報解析機能１１１、読影レポート入力補助機能１１２、入力補助情報管理機能１１３、ユーザ情報管理機能１１４、受信機能１１５、及び送信機能１１６が実現される場合を説明するが、これに限定されない。例えば、複数の独立したプロセッサを組み合わせて処理回路を構成し、各プロセッサがプログラムを実行することにより情報解析機能１１１、読影レポート入力補助機能１１２、入力補助情報管理機能１１３、ユーザ情報管理機能１１４、受信機能１１５、及び送信機能１１６を実現しても構わない。
【００５１】
受信機能１１５は、通信端末７０から送信される、通信端末７０のディスプレイ７４で表示されている情報を受信する機能であり、受信手段の一例である。具体的には、例えば、受信機能１１５において処理回路１１は、通信端末７０で第２形式に対応付けられて送信された情報を受信する。
【００５２】
情報解析機能１１１は、第２形式に対応付けられて送信された情報を解析する機能である。具体的には、例えば、情報解析機能１１１において処理回路１１は、第２形式に対応する情報を解析し、当該情報の表示位置を表す情報を取得する。
【００５３】
読影レポート入力補助機能１１２は、異なる読影レポート作成支援システムで設定される読影レポートの第２形式に基づく作成画面への情報の入力を補助する機能であり、入力補助手段の一例である。具体的には、例えば、読影レポート入力補助機能１１２において処理回路１１は、メモリ１２から入力補助情報１２１を読み出し、読み出した入力補助情報１２１に基づき、第２形式に基づく作成画面をディスプレイ１４に表示させる。処理回路１１は、第２形式に基づく作成画面への情報の入力を受け付ける。このとき、処理回路１１は、メモリ１２に記憶されている定型文に関する情報を利用した情報の入力を受け付けるようにしても構わない。
【００５４】
送信機能１１６は、読影レポートに対して入力された情報を通信端末７０へ送信する機能であり、送信手段の一例である。具体的には、例えば、送信機能１１６において処理回路１１は、第２形式に基づく作成画面に入力された情報を通信端末７０へ送信する。
【００５５】
入力補助情報管理機能１１３は、メモリ１２に記憶されている入力補助情報１２１を管理する機能である。具体的には、例えば、入力補助情報管理機能１１３において処理回路１１は、ユーザからの指示に応じ、入力補助情報１２１を更新する。例えば、定型文を新たに登録する旨の指示がユーザから入力されると、処理回路１１は、入力補助情報１２１を更新する。また、第２形式の仕様を変更する旨の指示がユーザから入力されると、処理回路１１は、入力補助情報１２１を更新する。
【００５６】
ユーザ情報管理機能１１４は、メモリ１２に記憶されているユーザ情報１２２を管理する機能であり、管理手段の一例である。具体的には、例えば、ユーザ情報管理機能１１４において処理回路１１は、通信端末７０のディスプレイ７４に表示される管理リストについて通信端末７０から送信された情報に、記憶しているユーザ情報１２２に含まれない新たな情報が含まれている場合、通信端末７０からの情報に基づいてユーザ情報１２２を更新する。例えば、自身に依頼されている新たな読影オーダがある場合、当該新たな読影オーダを含むようにユーザ情報１２２を更新する。
【００５７】
次に、以上のように構成された読影レポート作成連携システム１の動作を、操作連携端末１０の処理回路１１と、通信端末７０の処理回路７１との処理手順に従って詳細に説明する。図４は、図１に示される読影レポート作成連携システム１の使用例を表す模式図である。図４によれば、通信端末７０は、読影レポート作成支援システム５０で設定されている読影レポートの第１形式に対応しており、操作連携端末１０は、ユーザが普段利用している読影レポート作成支援システムで設定されている読影レポートの第２形式に対応している。ユーザは通信端末７０を操作して読影レポート作成支援システム５０にアクセスし、通信端末７０のディスプレイ７４に表示される第１形式に基づく作成画面に対して操作連携端末１０から必要情報を入力する。
【００５８】
図５は、操作連携端末１０の処理回路１１がメモリ１２に記憶されている入力補助情報１２１を更新する際の、読影レポート作成連携システムの処理の例を説明する図である。  
ユーザである読影医は、読影レポート作成支援システム５０に対し、例えば、自身の氏名（読影医：ＡＡＡＡ）、及び自身に割り当てられているパスワードでログインする。ユーザのログインが完了すると、通信端末７０の処理回路７１は、読影レポート作成プログラムを実行することで、読影レポート作成機能７１１を実現する。
【００５９】
ユーザは、自身に依頼されている読影オーダを表示する旨の指示を、入力インタフェース７３を介して通信端末７０へ入力する。ユーザからの入力を受け付けると、読影レポート作成機能７１１において処理回路７１は、読影レポート作成支援システム５０へ、読影医：ＡＡＡＡに依頼されている読影オーダに関する情報を要求する。読影レポート作成支援システム５０のサーバ装置５１は、読影オーダの管理リストを参照し、読影医：ＡＡＡＡに依頼されている読影オーダに関する情報を通信端末７０へ送信する。
【００６０】
読影レポート作成支援システム５０から読影オーダに関する情報を受け取ると、処理回路７１は、受け取った情報をリスト化して通信端末７０のディスプレイ７４に表示させる（ステップＳ５１）。図６は、図４に示される通信端末７０のディスプレイ７４に表示される、読影医：ＡＡＡＡで抽出された読影オーダリストの例を表す模式図である。図６に示される読影オーダリストは、読影レポートの作成画面の一例であり、患者ＩＤ、検査実施日、検査、部位、年齢、及び読影状況が含まれている。
【００６１】
また、ユーザのログインが完了すると、処理回路７１は、読影レポート作成連携プログラムを実行することで、画面取得機能７１２、及び画面解析機能７１３を実現する。画面取得機能７１２において処理回路７１は、ディスプレイ７４で表示される画面の切り替わりを監視する。ディスプレイ７４の表示画面が読影オーダリストの表示に切り替わると、処理回路７１は、切り替わった後の画面をキャプチャし、読影オーダリストが表示されている画面についての画素情報を取得する（ステップＳ５２）。
【００６２】
画素情報を取得すると、処理回路７１は、画面解析機能７１３により、取得した画素情報を解析する（ステップＳ５３）。具体的には、処理回路７１は、画素情報に対して文字認識処理を実施することで、画素情報からテキスト情報を抽出する。処理回路７１は、テキスト情報の抽出結果に基づき、ディスプレイ７４に読影オーダリストが表示されていると認識する。このとき、処理回路７１は、例えば、抽出したテキスト情報において読影オーダリストに特有の法則、及び／又は、抽出したテキスト情報中で読影オーダリストの表示を認識可能な記載等を検出することで、ディスプレイ７４に読影オーダリストが表示されていると認識する。
【００６３】
ディスプレイ７４に読影オーダリストが表示されていると認識すると、処理回路７１は、読影オーダリストについて抽出したテキスト情報に、読影オーダリストに割り当てられているオブジェクトのアドレスを付す。例えば、処理回路７１は、読影オーダリストについて抽出した「患者ＩＤ：TEST_DATA-1、検査実施日：２０１７／０１／０１  １１：００：００、検査：ＣＴ、年齢：２７Ｙ、読影状況：未読影」のレコードに、オブジェクト１のアドレス１−１を付す。
【００６４】
読影オーダリストについて抽出したテキスト情報にオブジェクトのアドレスを付すと、処理回路７１は、メモリ７２に記憶されている対応テーブル７２１を参照し、このテキスト情報を第２形式に対応させる。例えば、対応テーブル７２１では、第１形式において読影オーダリストが割り当てられるオブジェクト１と、第２形式において読影オーダリストが割り当てられるオブジェクトＡとが対応付けられている。処理回路７１は、対応テーブル７２１を参照し、テキスト情報に付されている第１形式のオブジェクト１のアドレスを、第２形式のオブジェクトＡのアドレスに置き換える。
【００６５】
読影オーダリストについて抽出したテキスト情報を第２形式に対応させると、処理回路７１は、送信機能７１６を実行する。送信機能７１６を実行すると処理回路７１は、第２形式に対応付けたテキスト情報を操作連携端末１０へ送信する（ステップＳ５４）。
【００６６】
ユーザは、読影レポート作成支援システム５０にログインすると、操作連携端末１０に対し、読影レポート作成連携プログラムの実行を指示する。操作連携端末１０の処理回路１１は、読影レポート作成連携プログラムを実行することで、受信機能１１５を実現する。処理回路１１は、受信機能１１５により、通信端末７０で第２形式に対応付けられて送信されたテキスト情報を受信する。
【００６７】
テキスト情報を受信すると、処理回路１１は、情報解析機能１１１を実行する。情報解析機能１１１において処理回路１１は、受信したテキスト情報を解析する（ステップＳ５５）。具体的には、例えば、処理回路１１は、受信したテキスト情報を復号し、テキスト情報に付されている第２形式についてのオブジェクトＡ、及びオブジェクトＡでのアドレス情報を取得する。
【００６８】
テキスト情報に付されているアドレス情報を取得すると、処理回路１１は、読影レポート入力補助機能１１２を実行する。読影レポート入力補助機能１１２を実行すると処理回路１１は、取得したアドレス情報に基づいてテキスト情報の表示位置を決定し、決定した表示位置にテキスト情報を配置させることで、操作連携端末１０のディスプレイ１４に読影オーダリストを表示させる（ステップＳ５６）。
【００６９】
具体的には、処理回路１１は、メモリ１２に記憶されている入力補助情報１２１を読み出す。処理回路１１は、入力補助情報１２１におけるＧＵＩに関する情報に、取得したオブジェクトＡ、及びオブジェクトＡでのアドレス情報を照合させ、テキスト情報の表示位置を決定する。処理回路１１は、決定した表示位置にテキスト情報を表示させることで、ディスプレイ１４に読影オーダリストを表示させる。
【００７０】
ディスプレイ１４に読影オーダリストを表示させると、処理回路１１は、ユーザ情報管理機能１１４を実行する。ユーザ情報管理機能１１４を実行すると処理回路１１は、ディスプレイ１４に表示されている読影オーダリストに基づき、メモリ１２に記憶されているユーザ情報１２２を更新する（ステップＳ５７）。具体的には、処理回路１１は、ディスプレイ１４に表示されている読影オーダリストと、ユーザ情報１２２における、自身に依頼されている読影オーダに関する情報とを比較する。処理回路１１は、表示されている読影オーダリストに、ユーザ情報１２２に含まれない新たな情報が含まれている場合、表示されている読影オーダリストに基づいてユーザ情報１２２を更新する。
【００７１】
図７は、操作連携端末１０の処理回路１１が、通信端末７０の処理回路７１と連携して読影レポートを作成する際の処理の例を説明する図である。  
ユーザは、例えば、通信端末７０のディスプレイ７４に表示されている読影オーダリストから、読影状況が「未読影」の読影オーダを選択し、選択した読影オーダに対する読影レポートの作成を開始する旨の指示を、入力インタフェース７３を介して通信端末７０へ入力する。ユーザからの入力を受け付けると、読影レポート作成機能７１１において処理回路７１は、読影レポート作成支援システム５０へ、選択された読影オーダに関する情報を要求する。読影レポート作成支援システム５０のサーバ装置５１は、読影オーダの管理リスト、及び患者情報を参照し、選択された読影オーダに関する情報を通信端末７０へ送信する。
【００７２】
読影レポート作成支援システム５０から選択された読影オーダに関する情報を受け取ると、処理回路７１は、読影レポート作成支援システム５０で設定されている読影レポートの第１形式に基づく作成画面を、受け取った情報を反映させてディスプレイ７４に表示させる（ステップＳ７１）。図８は、図４に示される通信端末７０のディスプレイ７４に表示される作成画面の例を表す模式図である。図８に示される作成画面には、読影レポートの作成対象が入力される領域７４１、所見が入力される領域７４２、診断内容が入力される領域７４３、キー画像が添付される領域７４４、及びユーザからの指示に応じて種々の情報が表示される領域７４５が含まれている。領域７４５には、例えば、過去の読影レポート、詳細な検査情報、及び詳細な患者情報等が表示可能である。これらの情報は、例えば、タブ７４６〜７４８をユーザが選択することで切り替わる。図８に示される例では、タブ７４６が選択されることで、領域７４５に、過去の読影レポートが表示されているものとする。
【００７３】
画面取得機能７１２において処理回路７１は、ディスプレイ７４で表示される画面の切り替わりを監視する。ディスプレイ７４の表示画面が、読影レポートの作成画面に切り替わると、処理回路７１は、切り替わった後の画面をキャプチャし、作成画面についての画素情報を取得する（ステップＳ７２）。
【００７４】
画素情報を取得すると、処理回路７１は、画面解析機能７１３により、取得した画素情報を解析する（ステップＳ７３）。具体的には、処理回路７１は、画素情報に対して文字認識処理を実施することで、画素情報からテキスト情報を抽出する。また、処理回路７１は、画素情報に対して画面解析を実施することで、画素情報から画像情報を抽出する。処理回路７１は、テキスト情報、及び画像情報の抽出結果に基づき、ディスプレイ７４に作成画面が表示されていると認識する。このとき、処理回路７１は、例えば、抽出した情報において作成画面に特有の法則、及び／又は、抽出した情報中で作成画面の表示を認識可能な記載等を検出することで、ディスプレイ７４に作成画面が表示されていると認識する。
【００７５】
ディスプレイ７４に作成画面が表示されていると認識すると、処理回路７１は、作成画面について抽出したテキスト情報、及び画像情報に、作成画面に含まれている領域毎に割り当てられているオブジェクトのアドレスを付す。
【００７６】
図８に示される例では、処理回路７１は、例えば、領域７４１の「患者ＩＤ」で抽出した「TEST_DATA-1」にオブジェクト２のアドレス２−１を付し、「氏名」で抽出した「ＰＰＰＰ」にオブジェクト２のアドレス２−２を付し、「撮影日時」で抽出した「２０１７／０１／０１  １１：００：００」にオブジェクト２のアドレス２−３を付し、「モダリティ」で抽出した「ＣＴ」にオブジェクト２のアドレス２−４を付す。また、処理回路７１は、例えば、領域７４５に表示されている過去レポートの各項目で抽出したテキスト情報、及び画像情報に、オブジェクト５の各アドレスをそれぞれ付す。
【００７７】
作成画面について抽出したテキスト情報、及び画像情報にオブジェクトのアドレスを付すと、処理回路７１は、メモリ７２に記憶されている対応テーブル７２１を参照し、これらのテキスト情報、及び画像情報を第２形式に対応させる。例えば、対応テーブル７２１では、第１形式において所定の領域が割り当てられるオブジェクト、及びオブジェクトのアドレスは、第２形式において対応する領域が割り当てられるオブジェクト、及びオブジェクトのアドレスと対応付けられている。処理回路７１は、対応テーブル７２１を参照し、テキスト情報、及び画像情報に付されている第１形式のオブジェクトのアドレスを、第２形式のオブジェクトのアドレスに置き換える。
【００７８】
図８に示される例では、処理回路７１は、例えば、領域７４１の「患者ＩＤ」で抽出した「TEST_DATA-1」に付されている第１形式のオブジェクト２のアドレス２−１を、第２形式のオブジェクトＢのアドレスＢ−１に置き換える。また、処理回路７１は、領域７４１の「氏名」で抽出した「ＰＰＰＰ」に付されている第１形式のオブジェクト２のアドレス２−２を、第２形式のオブジェクトＢのアドレスＢ−２に置き換える。また、処理回路７１は、領域７４１の「撮影日時」で抽出した「２０１７／０１／０１  １１：００：００」に付されている第１形式のオブジェクト２のアドレス２−３を、第２形式のオブジェクトＢのアドレスＢ−３に置き換える。また、処理回路７１は、領域７４１の「モダリティ」で抽出した「ＣＴ」に付されている第１形式のオブジェクト２のアドレス２−４を、第２形式のオブジェクトＢのアドレスＢ−４に置き換える。また、処理回路７１は、例えば、領域７４５に表示されている過去レポートの各項目で抽出したテキスト情報、及び画像情報に付されている第１形式のオブジェクト５のアドレスを、第２形式のオブジェクトＥのアドレスに置き換える。
【００７９】
作成画面について抽出したテキスト情報、及び画像情報を第２形式に対応させると、処理回路７１は、送信機能７１６を実行する。送信機能７１６を実行すると処理回路７１は、第２形式に対応付けたテキスト情報、及び画像情報を操作連携端末１０へ送信する（ステップＳ７４）。
【００８０】
操作連携端末１０の処理回路１１は、受信機能１１５により、通信端末７０で第２形式に対応付けられて送信されたテキスト情報、及び画像情報を受信する。
【００８１】
テキスト情報、及び画像情報を受信すると、処理回路１１は、情報解析機能１１１を実行する。情報解析機能１１１において処理回路１１は、受信したテキスト情報、及び画像情報を解析する（ステップＳ７５）。具体的には、例えば、処理回路１１は、受信したテキスト情報、及び画像情報を復号し、テキスト情報、及び画像情報に付されている第２形式についてのオブジェクト、及びこのオブジェクトのアドレス情報を取得する。
【００８２】
テキスト情報、及び画像情報に付されているアドレス情報を取得すると、処理回路１１は、読影レポート入力補助機能１１２を実行する。読影レポート入力補助機能１１２を実行すると処理回路１１は、取得したアドレス情報に基づいてテキスト情報、及び画像情報の表示位置を決定し、決定した表示位置にテキスト情報、及び画像情報を配置させることで、操作連携端末１０のディスプレイ１４に読影レポートの作成画面を表示させる（ステップＳ７６）。
【００８３】
具体的には、処理回路１１は、メモリ１２に記憶されている入力補助情報１２１を読み出す。処理回路１１は、入力補助情報１２１におけるＧＵＩに関する情報に、取得したオブジェクト名のアドレス情報を照合させ、テキスト情報、及び画像情報の表示位置を決定する。処理回路１１は、決定した表示位置にテキスト情報、及び画像情報を表示させることで、ディスプレイ１４に作成画面を表示させる。
【００８４】
図９は、図８に示される作成画面に基づいて操作連携端末１０のディスプレイ１４で表示される作成画面の例を表す模式図である。入力補助情報１２１におけるＧＵＩに関する情報では、例えば、読影レポートの作成対象が入力される領域１４１にオブジェクトＢが割り当てられ、その中の項目である「患者ＩＤ」、「漢字氏名」、「検査実施日」、「検査」にそれぞれアドレスＢ−１〜Ｂ−４が割り当てられている。
【００８５】
処理回路１１は、図８に示される領域７４１から抽出した「TEST_DATA-1」、「ＰＰＰＰ」、「２０１７／０１／０１  １１：００：００」、「ＣＴ」の表示位置を、これらに付されている第２形式のオブジェクトＢのアドレスＢ−１〜Ｂ−４をＧＵＩに関する情報に照合させることで、領域１４１の「患者ＩＤ」、「漢字氏名」、「検査実施日」、「検査」と決定する。処理回路１１は、図９に示されるように、領域１４１において、「患者ＩＤ：TEST_DATA-1」、「漢字氏名：ＰＰＰＰ」、「検査実施日：２０１７／０１／０１  １１：００：００」、「検査：ＣＴ」と表示する。なお、図９で示される「生年月日：１９９０／０１／０１」、「性別：男性」、「検査時年齢：２７才５ヶ月」については、例えば、図８で示される領域７４５に表示される詳細な患者情報から抽出される情報に基づいて表示される。
【００８６】
また、入力補助情報１２１におけるＧＵＩに関する情報では、領域１４４で切り替え可能に表示される過去レポートにオブジェクトＥが割り当てられ、その中の各項目にそれぞれアドレスが割り当てられている。処理回路１１は、図８に示される領域７４５から抽出した過去の読影レポートについてのテキスト情報、及び画像情報の表示位置を、これらに付されている第２形式のオブジェクトＥのアドレスをＧＵＩに関する情報に照合させることで、領域１４４で表示される過去レポートの各項目内と決定する。処理回路１１は、図９に示されるように、過去の読影レポートについての情報を、タブ１４５が選択された領域１４４内の項目に表示する。
【００８７】
ところで、操作連携端末１０は、ディスプレイ１４で表示される作成画面で表される情報を切り替えることが可能である。例えば、操作連携端末１０は、図９に示される作成画面の領域１４４におけるタブ１４６〜１４９の選択をユーザから受け付けることで、過去レポートから、経過レポート、定型文、キー画像、又は検査情報へ表示を切り替えることが可能である。
【００８８】
例えば、ユーザによりタブ１４６で表される経過レポートが選択された場合、作成画面は図１０に示されるように領域１４４に経過レポートが表示されることになる。このとき、入力補助情報１２１におけるＧＵＩに関する情報では、例えば、過去レポートに割り当てられているオブジェクトＥと、経過レポートに割り当てられているオブジェクトＦとが関連付けられている。処理回路１１は、ユーザによりタブ１４６が選択されると、過去の読影レポートについてのテキスト情報、及び画像情報の表示位置を、ＧＵＩに関する情報に基づき、領域１４４で表示される経過レポートの各項目内と決定する。処理回路１１は、図１０に示されるように、タブ１４６が選択された領域１４４内の項目に過去レポートについての情報を表示する。
【００８９】
なお、タブ１４７が選択される場合には、領域１４４に、例えば、メモリ１２に記憶されている定型文の一覧が表示される。ユーザは、ここで表示される定型文の一覧から、所望の定型文を選択しても構わない。
【００９０】
また、操作連携端末１０は、通信端末７０のディスプレイ７４で表示される作成画面で表される情報の切り替わりに応じ、ディスプレイ１４の表示を切り替えることが可能である。
【００９１】
例えば、ユーザは、図８に示される作成画面の領域７４５においてタブ７４７、又は７４８を選択することで、領域７４５で表示される情報を、過去の読影レポートから、詳細な患者情報、又は詳細な検査情報等へ切り替えることが可能である。ユーザによりタブ７４７で表される検査情報が選択された場合、領域７４５には検査情報が表示されることになる。領域７４５の表示が検査情報に切り替わると、処理回路７１は、ステップＳ７２で示されるように、情報が切り替わった後の画面をキャプチャし、検査情報を含む作成画面についての画素情報を取得する。画素情報を取得すると、処理回路７１は、ステップＳ７３，Ｓ７４で示されるように、画素情報からテキスト情報、及び画像情報を抽出し、抽出したテキスト情報、及び画像情報を、第２形式に対応させた後、操作連携端末１０へ送信する。
【００９２】
操作連携端末１０の処理回路１１は、通信端末７０から送信されるテキスト情報、及び画像情報を受信すると、ステップＳ７５，Ｓ７６で示されるように、テキスト情報、及び画像情報に付されている第２形式についてのオブジェクト、及びこのオブジェクトのアドレス情報に基づく位置にテキスト情報、及び画像情報を配置させることで、操作連携端末１０のディスプレイ１４に読影レポートの作成画面を表示させる。
【００９３】
図１１は、図８に示される作成画面に基づいて操作連携端末１０のディスプレイ１４で表示される作成画面のその他の例を表す模式図である。図１１によれば、タブ１４９が選択された領域１４４内の項目に検査情報が表示されている。
【００９４】
ユーザは、ディスプレイ１４に読影レポートの作成画面が表示されると、入力インタフェース１３を操作し、操作連携端末１０に必要事項を入力していく（ステップＳ７７）。例えば、ユーザは、作成画面の領域１４２に所見「ＸＸＸＸ…」を表すテキスト情報を入力し、領域１４３に診断結果「ＹＹＹＹ…」を表すテキスト情報を入力する。また、例えば、ユーザは、タブ１４８を選択してキー画像の入力領域を表示させた領域１４４に、キー画像である医用画像データの、医用画像管理システム４０におけるアドレス情報を表すテキスト情報を入力する。
【００９５】
作成画面に必要事項を入力する際、ユーザは、例えば、定型文を利用する。操作連携端末１０の処理回路１１は、定型文の利用がユーザから要求されると、メモリ１２から定型文に関する情報を読み出し、読み出した情報に基づき、複数の定型文を作成画面に表示する。
【００９６】
ユーザは、必要事項の入力が完了すると、作成画面に表示されている「確定」ボタンを選択する（ステップＳ７８）。処理回路１１は、ユーザにより「確定」ボタンが選択されると、読影レポート入力補助機能１１２により、作成画面に入力されたテキスト情報に、作成画面に含まれている領域毎に割り当てられているオブジェクトのアドレスを付す。
【００９７】
例えば、処理回路１１は、所見を表すテキスト情報に、領域１４２に割り当てられているオブジェクトＣを付し、診断結果を表すテキスト情報に、領域１４３に割り当てられているオブジェクトＤを付し、医用画像データのアドレス情報を表すテキスト情報に、キー画像を表示する領域に割り当てられているオブジェクトＨを付す。
【００９８】
作成画面に入力されたテキスト情報に第２形式のオブジェクトを付すと、処理回路１１は、送信機能１１６を実行する。送信機能１１６を実行すると処理回路１１は、第２形式のオブジェクトが付されたテキスト情報を通信端末７０へ送信する（ステップＳ７９）。
【００９９】
操作連携端末１０から送信されるテキスト情報を受信すると、通信端末７０の処理回路７１は、反映機能７１４を実行する。反映機能７１４において処理回路７１は、メモリ７２に記憶されている対応テーブル７２１を参照し、このテキスト情報を第１形式に対応させる。具体的には、処理回路７１は、対応テーブル７２１を参照し、所見を表すテキスト情報に付されているオブジェクトＣを、図８に示される領域７４２に割り当てられているオブジェクト３に置き換え、診断結果を表すテキスト情報に付されているオブジェクトＤを、図８に示される領域７４３に割り当てられているオブジェクト４に置き換え、医用画像データのアドレス情報を表すテキスト情報に付されているオブジェクトＨを、図８に示される領域７４４に割り当てられているオブジェクト８に置き換える。
【０１００】
テキスト情報を第１形式に対応させると処理回路７１は、テキスト情報に付されているオブジェクトを第１形式のＧＵＩに関する情報に照合させることで、テキスト情報の表示位置を決定する。処理回路７１は、所見を表すテキスト情報、及び診断結果を表すテキスト情報を、決定した位置、すなわち、第１形式の作成画面の領域７４２，７４３それぞれ表示する（ステップＳ７１０）。
【０１０１】
また、医用画像データのアドレス情報を表すテキスト情報の表示位置を決定すると、処理回路７１は、例えば、画像表示プログラムを実行する。画像表示プログラムを実行すると処理回路７１は、医用画像管理システム４０に対し、アドレス情報により識別される医用画像データを要求する。
【０１０２】
医用画像管理システム４０のサーバ装置４１は、要求に応じ、アドレス情報に基づいて医用画像データを検索する。サーバ装置４１は、検索で得られた医用画像データを通信端末７０へ送信する。
【０１０３】
医用画像管理システム４０から送信される医用画像データを受信すると、処理回路７１は、受信した医用画像データに基づく医用画像を、決定した位置、すなわち、第１形式の作成画面の領域７４４に表示する。図１２は、操作連携端末１０へ入力された情報が反映された際の通信端末７０の表示例を表す模式図である。図１２では、ユーザが操作連携端末１０に入力した所見「ＸＸＸＸ…」、及び診断結果「ＹＹＹＹ…」が通信端末７０のディスプレイ７４に反映されている。なお、図１２では、キー画像の表示を省略しているが、実際には何らかの医用画像がキー画像として表示されていてもよい。
【０１０４】
ユーザは、通信端末７０のディスプレイ７４で表示される内容を確認し、問題がなければ、読影レポート確定の指示を入力インタフェース７３から入力する。読影レポート確定の指示がユーザから入力されると、処理回路７１は、その旨を読影レポート作成支援システム５０へ送信する。読影レポート作成支援システム５０のサーバ装置５１は、内容が確定された読影レポートを記憶すると共に、この読影レポートについての読影オーダの読影状況を確定にする。
【０１０５】
以上のように、第１の実施形態では、操作連携端末１０の処理回路１１は、読影レポート入力補助機能１１２により、第１形式の作成画面に関する情報に基づき、第２形式の作成画面を表示し、第２形式の作成画面への入力を受け付ける。そして、処理回路１１は、送信機能１１６により、第２形式の作成画面へ入力された内容に関する入力情報を、通信端末７０へ送信する。これにより、操作連携端末１０は、通信端末７０で表示される第１形式の作成画面を、第２形式の作成画面としてディスプレイ１４に表示することが可能となる。また、操作連携端末１０は、ディスプレイ１４に表示される作成画面に入力された内容を、通信端末７０に表示される第１形式の作成画面に反映させることが可能となる。このため、相手側のシステムに依存しない疎結合な連携が可能となる。
【０１０６】
また、第１の実施形態では、操作連携端末１０の処理回路１１は、読影レポート入力補助機能１１２により、通信端末７０で表示される読影オーダについてのリスト情報を、ディスプレイ１４に表示させる。そして、処理回路１１は、ユーザ情報管理機能１１４により、メモリ１２に記憶されるユーザ情報１２２に含まれていない情報が、リスト情報に存在している場合、ユーザ情報１２２を更新するようにしている。これにより、操作連携端末１０は、最新の読影オーダを含むユーザタスクの残件リストを生成することが可能となると共に、生成した残件リストを管理することが可能となる。
【０１０７】
なお、上記実施形態では、通信端末７０の処理回路７１が画面取得機能７１２、及び画面解析機能７１３を有する場合を例に説明した。しかしながら、画面取得機能７１２、及び画面解析機能７１３は、処理回路７１により実現されることに限定されない。例えば、画面取得機能７１２、及び画面解析機能７１３は、操作連携端末１０の処理回路１１で実現されても構わない。
【０１０８】
図１３は、図１に示される操作連携端末１０の機能構成のその他の例を表すブロック図である。図１３によれば、処理回路１１ａは、操作連携プログラムを実行することで、画面取得機能１１７、及び画面解析機能１１８をさらに実現する。このとき、操作連携端末１０ａは、通信端末７０のディスプレイ７４を撮影するための撮像回路１６を有している。画面取得機能１１７において処理回路１１は、例えば、ユーザの指示に従い、撮像回路１６により作成画面を撮影する。撮像回路１６は、撮像手段の一例であり、例えば、カメラ等により実現される。なお、撮像回路１６が取得する画像は、静止画であっても動画であっても構わない。撮像回路１６が動画を取得する場合、処理回路１１は、動画における画面の切り替わりを監視し、切り替わりを検出すると画面をキャプチャするようにしてもよい。処理回路１１は、作成画面についての画素情報を発生する。
【０１０９】
画面解析機能１１８において処理回路１１は、発生された画素情報を解析し、ディスプレイ７４に表示されている情報を取得する。処理回路１１は、例えば、取得した情報を第１形式に対応させる。処理回路１１は、メモリ１２ａに記憶されている対応テーブル１２３を参照し、第１形式に対応する情報を第２形式に対応させる。対応テーブル１２３は、例えば、読影レポート作成支援システム５０で設定されている読影レポートの第１形式と、異なる読影レポート作成支援システムで設定される読影レポートの第２形式とを対応付けている。
【０１１０】
なお、処理回路１１ａが画面取得機能１１７、及び画面解析機能１１８をさらに実現する場合、通信端末７０の処理回路７１は、画面取得機能７１２、画面解析機能７１３、及び送信機能７１６を実現する必要はない。また、通信端末７０から情報が送信されないため、処理回路１１ａは、受信機能１１５を実現する必要はない。これにより、通信端末７０の処理負荷が軽減されることになる。
【０１１１】
また、画面取得機能７１２は処理回路７１により実現され、画面解析機能１１８は処理回路１１により実現されてもよい。このとき、画面取得機能７１２により取得された画素情報が、送信機能７１６により操作連携端末１０へ送信される。そして、処理回路１１は、受信機能１１５により、通信端末７０から送信された画素情報を受信し、画面解析機能１１８により、画素情報を解析する。これにより、画素情報の解析処理が操作連携端末１０で実施されるため、通信端末７０の処理負荷が軽減されることになる。
【０１１２】
また、上記実施形態では、処理回路７１が、画面解析機能７１３により、画素情報から抽出したテキスト情報等を第１形式に対応させ、第１形式に対応させた情報を、対応テーブル７２１を参照して第２形式に対応させる場合を例に説明した。しかしながら、これに限定されない。処理回路７１は、画面解析機能７１３により、画素情報から抽出したテキスト情報等を第１形式に対応させ、送信機能７１６により、第１形式に対応させた情報を操作連携端末１０へ送信してもよい。このとき、操作連携端末１０の処理回路１１は、例えば、情報解析機能１１１により、第１形式の情報を第２形式に対応させる。
【０１１３】
具体的には、例えば、情報解析機能１１１において処理回路１１は、第１形式に対応する情報を解析し、この情報に付されている第１形式についてのオブジェクト、及びこのオブジェクトのアドレス情報を取得する。処理回路１１は、メモリ１２ａに記憶されている対応テーブル１２３を参照し、取得した第１形式のオブジェクトのアドレスを、第２形式のオブジェクトのアドレスに置き換える。これにより、画素情報の解析処理の一部が操作連携端末１０で実施されるため、通信端末７０の処理負荷が軽減されることになる。
【０１１４】
また、上記実施形態では、読影レポートの第２形式に対応するテキスト情報が操作連携端末１０から通信端末７０へ送信され、通信端末７０で第１形式に対応付けられる場合を例に説明した。しかしながら、これに限定されない。操作連携端末１０に入力された内容についての情報は、処理回路１１の読影レポート入力補助機能１１２により、第１形式に対応付けられてもよい。このとき、操作連携端末１０のメモリ１２ａには対応テーブル１２３が記憶されている。処理回路１１は、対応テーブル１２３を参照し、操作連携端末１０に入力されたテキスト情報を、第１形式に対応付ける。処理回路１１は、送信機能１１６により、第１形式に対応付けたテキスト情報を通信端末７０へ送信する。通信端末７０の処理回路７１は、反映機能７１４により、受信したテキスト情報をディスプレイ７４の作成画面に反映させる。これにより、入力された内容についての情報を第１形式に対応付ける処理が操作連携端末１０で実施されるため、通信端末７０で、入力内容を反映させる際の負荷が軽減されることになる。
【０１１５】
（第２の実施形態）  
第１の実施形態では、読影レポート作成連携システム１が操作連携端末１０、及び通信端末７０を有する場合を例に説明した。第２の実施形態では、読影レポート作成連携システム１ａが、例えば、操作連携端末１０を有さず、通信端末７０ａのみを有する場合を説明する。
【０１１６】
図１４は、第２の実施形態に係る読影レポート作成連携システム１ａを構成する通信端末７０ａの機能構成の例を示すブロック図である。図１４に示される通信端末７０ａは、処理回路７１ａ、メモリ７２ａ、入力インタフェース７３、ディスプレイ７４、及び通信インタフェース７５を有する。処理回路７１ａ、メモリ７２ａ、入力インタフェース７３、ディスプレイ７４、及び通信インタフェース７５は、例えば、バスを介して互いに通信可能に接続されている。
【０１１７】
処理回路７１ａは、通信端末７０ａの中枢として機能するプロセッサである。処理回路７１ａは、メモリ７２ａ等に記憶されている、例えば、画像表示プログラム、読影レポート作成プログラム、及び読影レポート作成連携プログラムを実行することにより、当該プログラムに対応する機能を実現する。
【０１１８】
メモリ７２ａは、例えば、種々の情報を記憶するＲＯＭ、ＲＡＭ、ＨＤＤ、ＳＳＤ、及び集積回路記憶装置等の記憶装置である。メモリ７２ａは、本実施形態に係る画像表示プログラム、読影レポート作成プログラム、及び読影レポート作成連携プログラム等を記憶している。また、メモリ７２ａは、対応テーブル７２１、入力補助情報１２１、及びユーザ情報１２２を記憶している。
【０１１９】
図１４に示される処理回路７１ａは、例えば、メモリ７２ａに記憶されている画像表示プログラム、読影レポート作成プログラム、及び読影レポート作成連携プログラムを実行することで、当該プログラムに対応する機能を実現する。例えば、処理回路７１ａは、読影レポート作成プログラム、及び読影レポート作成プログラムを実行することで、読影レポート作成機能７１１、画面取得機能７１２、画面解析機能７１３、反映機能７１４、読影レポート入力補助機能７１７、入力補助情報管理機能７１８、及びユーザ情報管理機能７１９を有する。なお、本実施形態では、単一のプロセッサによって読影レポート作成機能７１１、画面取得機能７１２、画面解析機能７１３、反映機能７１４、読影レポート入力補助機能７１７、入力補助情報管理機能７１８、及びユーザ情報管理機能７１９が実現される場合を説明するが、これに限定されない。例えば、複数の独立したプロセッサを組み合わせて処理回路を構成し、各プロセッサがプログラムを実行することにより読影レポート作成機能７１１、画面取得機能７１２、画面解析機能７１３、反映機能７１４、読影レポート入力補助機能７１７、入力補助情報管理機能７１８、及びユーザ情報管理機能７１９を実現しても構わない。
【０１２０】
読影レポート入力補助機能７１７は、読影レポート作成支援システム５０とは異なる読影レポート作成支援システムで設定される読影レポートの第２形式に基づく作成画面への情報の入力を補助する機能である。具体的には、例えば、読影レポート入力補助機能７１７において処理回路７１ａは、メモリ７２ａから入力補助情報１２１を読み出し、読み出した入力補助情報１２１に基づき、第２形式に基づく作成画面をディスプレイ７４に表示させる。処理回路７１ａは、第２形式に基づく作成画面への情報の入力を受け付ける。このとき、処理回路７１ａは、メモリ７２ａに記憶されている定型文に関する情報を利用した情報の入力を受け付けても構わない。
【０１２１】
入力補助情報管理機能７１８は、メモリ７２ａに記憶されている入力補助情報１２１を管理する機能である。具体的には、例えば、入力補助情報管理機能７１８において処理回路７１ａは、ユーザからの指示に応じ、入力補助情報１２１を更新する。例えば、定型文を新たに登録する旨の指示がユーザから入力されると、処理回路７１ａは、入力補助情報１２１を更新する。
【０１２２】
ユーザ情報管理機能７１９は、メモリ７２ａに記憶されているユーザ情報１２２を管理する機能である。具体的には、例えば、ユーザ情報管理機能７１９において処理回路７１ａは、ディスプレイ７４に表示される管理リストに、記憶しているユーザ情報１２２に含まれない新たな情報が含まれている場合、管理リストから抽出される情報に基づいてユーザ情報１２２を更新する。
【０１２３】
図１５は、第２の実施形態に係る読影レポート作成連携システム１ａの使用例を表す模式図である。図１５によれば、通信端末７０ａは、読影レポート作成支援システム５０で設定されている読影レポートの第１形式に対応する端末である。一方、通信端末７０ａは、ユーザが普段利用している読影レポート作成支援システムで設定されている読影レポートの第２形式についての情報を記憶している。つまり、ユーザは、通信端末７０ａから第２形式に基づく作成画面に従って必要事項を入力することが可能となっている。
【０１２４】
ユーザは、通信端末７０ａを操作して読影レポート作成支援システム５０にアクセスする。通信端末７０ａの処理回路７１ａは、読影レポート作成支援システム５０からの応答に基づき、第１形式に基づく作成画面をディスプレイ７４に表示させる。
【０１２５】
ディスプレイ７４に第１形式に基づく作成画面が表示されると、処理回路７１ａは、画面取得機能７１２により作成画面についての画素情報を取得する。画素情報を取得すると、処理回路７１ａは、画面解析機能７１３により、取得した画素情報を解析することで、画素情報からテキスト情報、及び画像情報を抽出する。処理回路７１ａは、対応テーブル７２１を参照し、抽出したテキスト情報、及び画像情報を第２形式に対応付ける。
【０１２６】
ディスプレイ７４に第１形式に基づく作成画面が表示されると、ユーザは、入力インタフェース７３を介し、表示画面を第２形式に基づく作成画面へ切り替える旨の指示を入力する。第２形式に基づく作成画面へ表示画面を切り替える旨の指示が入力されると、処理回路７１ａは、読影レポート入力補助機能７１７により、第２形式に基づく作成画面を表示させる。処理回路７１ａは、第２形式に基づく作成画面から読影レポートへの入力を受け付ける。
【０１２７】
以上のように、第２の実施形態では、読影レポート作成連携システム１ａを構成する通信端末７０ａの処理回路７１ａは、読影レポート作成機能７１１により、読影レポートについての第１形式の作成画面を表示する。処理回路７１ａは、画面取得機能７１２により、第１形式の作成画面についての画素情報を取得する。処理回路７１ａは、画面解析機能７１３により、取得した画素情報を解析し、第１形式の作成画面に関する情報を取得する。処理回路７１ａは、読影レポート入力補助機能７１７により、第１形式の作成画面に関する情報に基づき、第２形式の作成画面を表示し、第２形式の作成画面への入力を受け付ける。そして、処理回路７１ａは、第２形式の作成画面へ入力された内容を、第１形式の作成画面に反映させるようにしている。これにより、通信端末７０ａのディスプレイ７４に表示される第１形式に基づく作成画面への必要事項の入力を、表示を切り替えた第２形式に基づく作成画面から入力することが可能となる。
【０１２８】
以上説明した少なくとも一つの実施形態によれば、読影レポート作成連携システム１、及び操作連携端末１０は、相手先のシステムに依存しないデータ連携ができる。また、病院間を移動すること等により、メーカーが異なる読影レポート作成支援システムを利用して読影レポートを作成する場合であっても、使い慣れたＧＵＩを用い、定型文等の入力補助情報もそのまま使用できるため、作業効率の低下を抑えることができる。
【０１２９】
実施形態の説明において用いた「プロセッサ」という文言は、例えば、ＣＰＵ（central processing unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、上記各実施形態の各プロセッサは、プロセッサごとに単一の回路として構成される場合に限らず、複数の独立した回路を組み合わせて１つのプロセッサとして構成し、その機能を実現するようにしてもよい。さらに、上記各実施形態における複数の構成要素を１つのプロセッサへ統合してその機能を実現するようにしてもよい。
【０１３０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３１】
１，１ａ…読影レポート作成連携システム
１０，１０ａ…操作連携端末
１１，１１ａ…処理回路
１１１…情報解析機能
１１２…読影レポート入力補助機能
１１３…入力補助情報管理機能
１１４…ユーザ情報管理機能
１１５…受信機能
１１６…送信機能
１１７…画面取得機能
１１８…画面解析機能
１２，１２ａ…メモリ
１２１…入力補助情報
１２２…ユーザ情報
１２３…対応テーブル
１３…入力インタフェース
１４…ディスプレイ
１５…通信インタフェース
１６…撮像回路
２０…病院情報システム
２１…サーバ装置
２２…通信端末
３０…放射線部門情報システム
３１…サーバ装置
３２…通信端末
４０…医用画像管理システム
４１…サーバ装置
５０…読影レポート作成支援システム
５１…サーバ装置
６０…医用画像診断装置
７０，７０ａ…通信端末
７１，７１ａ…処理回路
７２，７２ａ…メモリ
７３…入力インタフェース
７４…ディスプレイ
７５…通信インタフェース
７１１…読影レポート作成機能
７１２…画面取得機能
７１３…画面解析機能
７１４…反映機能
７１５…受信機能
７１６…送信機能
７１７…読影レポート入力補助機能
７１８…入力補助情報管理機能
７１９…ユーザ情報管理機能
７２１…対応テーブル
【図１】
2020034977.tif 000003
【図２】
2020034977.tif 000004
【図３】
2020034977.tif 000005
【図４】
2020034977.tif 000006
【図５】
2020034977.tif 000007
【図６】
2020034977.tif 000008
【図７】
2020034977.tif 000009
【図８】
2020034977.tif 000010
【図９】
2020034977.tif 000011
【図１０】
2020034977.tif 000012
【図１１】
2020034977.tif 000013
【図１２】
2020034977.tif 000014
【図１３】
2020034977.tif 000015
【図１４】
2020034977.tif 000016
【図１５】
2020034977.tif 000017